(57)【要約】【課題】無駄な通信を発生させないようにすることができる通信装置および通信システムを提供すること。【解決手段】実施形態に係る通信装置は、通信部と、記憶部と、制御部とを具備する。記憶部は、自装置に関するデータおよび通信部で受信した他の通信装置に関するデータを蓄積する。制御部は、記憶部に蓄積されたデータのうち送信条件に合致するデータを通信部から送信させる。【選択図】図７
2019061382.tif 000002
【特許請求の範囲】
【請求項１】
通信部と；
自装置に関するデータおよび前記通信部で受信した他の通信装置に関するデータを蓄積する記憶部と；
前記記憶部に蓄積されたデータのうち送信条件に合致するデータを前記通信部から送信させる制御部と；
を具備することを特徴とする通信装置。
【請求項２】
前記制御部は、前記通信部による複数のデータの送信が中断された場合に、前記複数のデータのうち未送信のデータを前記送信条件に合致するデータとして前記通信部から送信させる、請求項１に記載の通信装置。
【請求項３】
前記制御部は、前記複数のデータの送信状況を前記記憶部に記憶させる、請求項２に記載の通信装置。
【請求項４】
前記制御部は、前記送信条件に合致するデータの送信が完了した場合に、前記記憶部に蓄積されたデータのうち、前記他の通信装置に関するデータを消去する、請求項１〜３のいずれか一つに記載の通信装置。
【請求項５】
端末装置と；
前記端末装置との間で通信を行う通信装置と；
を具備し、
前記通信装置は、
通信部と；
自装置に関するデータおよび前記通信部で受信した他の通信装置に関するデータを蓄積する記憶部と；
前記記憶部に蓄積されたデータのうち送信条件に合致するデータを前記通信部から送信させる制御部と；
を具備することを特徴とする通信システム。
【請求項６】
前記端末装置は、前記通信装置からの複数のデータの受信が中断した場合に、前記通信装置に対して送信再開要求を送信し、
前記制御部は、前記送信再開要求が前記通信部によって受信された場合に、前記複数のデータのうち未送信のデータを前記送信条件に合致するデータとして前記通信部から送信させる、請求項５に記載の通信システム。
【発明の詳細な説明】
【技術分野】
【０００１】
本発明の実施形態は、通信装置および通信システムに関する。
【背景技術】
【０００２】
通信装置の一種として、たとえば、無線通信を用いて外部にデータを送信することのできる照明装置が知られている。
【先行技術文献】
【特許文献】
【０００３】
【特許文献１】特開２００４−１８５９７８号公報
【発明の概要】
【発明が解決しようとする課題】
【０００４】
送信するデータ量が増えてくると一度にデータを送信しきれないことがある。このような場合に、初めからデータの送信を再開すると、既に送信済みのデータまで再度送信することとなり、通信の無駄が発生する。
【０００５】
本発明は、無駄な通信を発生させないようにすることができる通信装置および通信システムを提供することを目的とする。
【課題を解決するための手段】
【０００６】
実施形態に係る通信装置は、通信部と、記憶部と、制御部とを具備する。記憶部は、自装置に関するデータおよび通信部で受信した他の通信装置に関するデータを蓄積する。制御部は、記憶部に蓄積されたデータのうち送信条件に合致するデータを通信部から送信させる。
【発明の効果】
【０００７】
本発明によれば、無駄な通信を発生させないようにすることができる。
【図面の簡単な説明】
【０００８】
【図１】図１は、実施形態に係る照明システムの構成例を示す図である。
【図２】図２は、実施形態に係る照明装置の構成例を示す図である。
【図３】図３は、実施形態に係る記憶部の構成例を示す図である。
【図４】図４は、実施形態に係る制御部の構成例を示す図である。
【図５】図５は、点検者端末の構成例を示す図である。
【図６】図６は、実施形態に係る照明システムにおける一連の点検処理の一例を示すシーケンス図である。
【図７】図７は、実施形態に係る照明システムにおけるデータ送信の再開処理の一例を示すシーケンス図である。
【図８】図８は、実施形態に係る照明システムにおける他装置点検結果の消去処理の一例を示すシーケンス図である。
【発明を実施するための形態】
【０００９】
以下で説明する実施形態に係る照明装置１０（通信装置の一例）は、通信部１２と、自装置（照明装置１０）に関するデータおよび通信部１２で受信した他の通信装置に関するデータを蓄積する記憶部１５と、記憶部１５に蓄積されたデータのうち送信条件に合致するデータを通信部１２から送信させる制御部１６とを具備する。
【００１０】
また、以下で説明する実施形態に係る照明装置１０において、制御部１６は、通信部１２による複数のデータの送信が中断された場合に、複数のデータのうち未送信のデータを送信条件に合致するデータとして通信部１２から送信させる。
【００１１】
また、以下で説明する実施形態に係る照明装置１０において、制御部１６は、複数のデータの送信状況を記憶部１５に記憶させる。
【００１２】
また、以下で説明する実施形態に係る照明装置１０において、制御部１６は、送信条件に合致するデータの送信が完了した場合に、記憶部１５に蓄積されたデータのうち、他の通信装置に関するデータを消去する。
【００１３】
また、以下で説明する実施形態に係る照明システム１（通信システムの一例）は、点検者端末３０（端末装置の一例）と、端末装置との間で通信を行う照明装置１０（通信装置の一例）とを具備する。照明装置１０は、通信部１２と、自装置（照明装置１０）に関するデータおよび通信部１２で受信した他の通信装置に関するデータを蓄積する記憶部１５と、記憶部１５に蓄積されたデータのうち送信条件に合致するデータを通信部１２から送信させる制御部１６とを具備する。
【００１４】
また、以下で説明する実施形態に係る照明システム１において、端末装置は、照明装置１０からの複数のデータの受信が中断した場合に、照明装置１０に対して送信再開要求を送信する。照明装置１０の制御部１６は、送信再開要求が通信部１２によって受信された場合に、複数のデータのうち未送信のデータを送信条件に合致するデータとして通信部１２から送信させる。
【００１５】
［実施形態］
＜照明システムの構成＞
まず、本発明の実施形態に係る照明システム１を図面に基づいて説明する。図１は、実施形態に係る照明システム１の構成例を示す図である。
【００１６】
図１に示す照明システム１は、複数の照明装置１０と点検者端末３０とを具備する。照明装置１０は、たとえば、非常灯などの非常用照明装置である。非常用照明装置としての照明装置１０は、施設内に所定の間隔で設置され、停電時や災害時等の非常時に避難誘導のために室内や廊下を照らす。なお、照明装置１０は、非常口や避難通路を示すために設置される誘導灯であってもよい。また、照明装置１０は、常時は照明装置として点灯し、停電時に避難誘導のために室内や廊下を照らす照明装置であってもよい。
【００１７】
各照明装置１０は、非常用ランプ等の光源１１と、通信部１２とを具備する。各照明装置１０は、自装置の通信エリア内に位置する他の照明装置１０や点検者端末３０との間で、通信部１２を用いた双方向通信を行う。複数の照明装置１０は、通信エリア内に位置する他の照明装置１０との間で相互にデータの送受信を行うことにより、各照明装置１０をノードとするメッシュネットワークを形成する。
【００１８】
点検者端末３０は、点検者３が所有する情報処理装置である。点検者端末３０は、点検者３が持ち運び可能な情報処理装置であればどのような情報処理装置であってもよく、たとえば、スマートフォンや、タブレット型端末や、ノート型ＰＣ（Personal  Computer）や、携帯電話機や、ＰＤＡ（Personal  Digital  Assistant）等により実現される。
【００１９】
実施形態に係る照明システム１において、点検者３は、点検者端末３０を用い、施設内に設置された複数の照明装置１０の一括点検を行う。
【００２０】
点検者３は、まず、複数の照明装置１０のうちの任意の１台に対し、点検者端末３０から点検要求を送信させる。照明装置１０は、点検要求を受信すると、自装置の通信エリア内に位置する１または複数の他の照明装置１０に対して点検要求を転送する。さらに、照明装置１０から点検要求を受信した他の照明装置１０も同様に、自装置の通信エリア内に位置する１または複数の他の照明装置１０に対して点検要求を転送する。このようにして、複数の照明装置１０の全てに点検要求が転送される。そして、点検要求を受信した各照明装置１０は、点検動作を開始する。点検動作は、たとえば、法令で定められた時間連続して光源１１を点灯させる動作である。
【００２１】
その後、点検者３は、複数の照明装置１０のうちの任意の１台に対し、点検者端末３０から結果送信要求を送信させる。結果送信要求を受信した照明装置１０は、自装置の通信エリア内に位置する１または複数の他の照明装置１０に対して結果送信要求を転送する。さらに、照明装置１０から点検要求を受信した他の照明装置１０も同様に、自装置の通信エリア内に位置する１または複数の他の照明装置１０に対して結果送信要求を転送する。このようにして、複数の照明装置１０の全てに結果送信要求が転送される。そして、結果送信要求を受信した各照明装置１０は、通信エリア内の１または複数の他の照明装置１０に対し、自装置の点検結果を送信するとともに他装置の点検結果を転送する。このように、複数の照明装置１０の間で点検結果が相互に送受信されることにより、複数の照明装置１０の全ての点検結果が各照明装置１０の記憶部に蓄積された状態となる。その後、照明装置１０は、点検者端末３０に対して複数の照明装置１０の全点検結果を送信する。
【００２２】
つづいて、点検者３は、複数の照明装置１０のうちの何れかに対し、点検者端末３０から結果送信要求を送信する。ここで、点検者３が結果送信要求を送信する照明装置１０は、必ずしも点検要求を送信した照明装置１０であることを要しない。結果送信要求を受信した照明装置１０は、自装置の点検結果を通信エリア内に位置する１または複数の他の照明装置１０へ送信する。また、各照明装置１０は、他の照明装置１０から受け取った他装置の点検結果を、通信エリア内に位置する１または複数の他の照明装置１０へ転送する。このように、複数の照明装置１０の間で点検結果が相互に送受信されることで、全ての照明装置１０の点検結果が各照明装置１０の記憶部に蓄積される。
【００２３】
その後、照明装置１０は、点検者端末３０に対して全ての照明装置１０の点検結果を送信する。
【００２４】
ここで、たとえば１００台の照明装置１０が施設内に設置されているとすると、照明装置１０は、点検者端末３０に対して１００台分の点検結果を送信することとなる。このように、多量のデータを送信する場合、全てのデータの送信が完了するまでにはある程度の時間を要する。このため、たとえば、点検者３が照明装置１０の通信エリア外へ移動した場合等にデータ送信の中断が発生するおそれがある。このような場合に、初めからデータの送信を再開すると、既に送信済みのデータまで再度送信することとなり、通信の無駄が発生してしまう。
【００２５】
そこで、実施形態に係る照明装置１０は、送信条件に合致するデータを通信部１２に対して送信させることとした。すなわち、たとえば上記のようにデータ送信が中断した場合には、点検者端末３０に対して未送信のデータだけを通信部１２に対して送信させる。これにより、無駄な通信を発生させないようにすることができる。
【００２６】
＜照明装置の構成＞
次に、実施形態に係る照明装置１０の構成について図２を参照して説明する。図２は、実施形態に係る照明装置１０の構成例を示す図である。
【００２７】
図３に示すように、照明装置１０は、光源１１と、通信部１２と、蓄電池１３と、取得部１４と、記憶部１５と、制御部１６とを具備する。
【００２８】
また、図３に示す外部電源６は、たとえば電力会社等から供給される電力源である。なお、外部電源６は、太陽光発電システムから供給される電力源であってもよい。
【００２９】
光源１１は、たとえば非常用ランプであり、外部電源６から供給される電力が著しく低下した場合（以下、停電時と記載する）に点灯する。光源１１としては、たとえば蛍光灯やＬＥＤ（Light  Emitting  Diode）等、目的に応じて種々の光源が用いられてもよい。
【００３０】
通信部１２は、たとえばビーコンであり、上述したように点検者端末３０および他の照明装置１０との間で双方向通信を行うことができる。通信部１２は、たとえば、ＢＬＥ（Bluetooth（登録商標）  Low  Energy）の規格にしたがった通信方式で無線通信を行う。
【００３１】
通信部１２は、外部電源６から供給される電力によって動作する。一方、通信部１２は、停電時においては、後述する蓄電池１３から供給される電力によって動作する。このように、通信部１２は、停電時においても動作可能である。
【００３２】
蓄電池１３は、停電時において非常用電源として利用される。蓄電池１３は、照明装置１０に対して着脱自在である。また、蓄電池１３は、外部電源６から供給される電力によって充電される。
【００３３】
取得部１４は、照明装置１０の各種情報を取得するセンサである。たとえば、取得部１４は、外部電源６から供給される電圧が閾値を下回った場合に、停電が発生したことを示す異常信号を制御部１６へ出力する。また、取得部１４は、蓄電池１３の残容量に関する情報を取得して、制御部１６へ出力する。その他、取得部１４は、光源１１の点灯状況に関する情報を取得してもよいし、照明装置１０内部の温度情報を取得してもよい。
【００３４】
記憶部１５は、たとえば、ＤＲＡＭ（Dynamic  Random  Access  Memory）、ＳＲＡＭ（Static  Random  Access  Memory）、フラッシュメモリ等の記憶装置である。図３は、実施形態に係る記憶部１５の構成例を示す図である。図３に示すように、記憶部１５は、自装置点検結果１５１と、他装置点検結果１５２と、送信状況情報１５３とを記憶する。
【００３５】
自装置点検結果１５１は、自装置の点検動作の結果であり、他装置点検結果１５２は、他の照明装置１０の点検動作の結果である。点検結果には、光源１１の点灯状況に関する情報などが含まれる。
【００３６】
自装置点検結果１５１および他装置点検結果１５２は、たとえば、点検結果の識別情報と、自装置の識別情報と、点検の実施年月日等と関連付けて記憶される。
【００３７】
送信状況情報１５３は、点検者端末３０から送信を指示された複数の点検結果の送信状況に関する情報である。たとえば、送信状況情報１５３は、送信対象となっている複数の点検結果のうち、送信済みの点検結果の個数を含む。なお、送信状況情報１５３は、未送信の点検結果の個数、未送信の点検結果の識別情報等を含んでいてもよい。
【００３８】
制御部１６は、照明装置１０の各部を制御するコントローラである。制御部１６は、ＣＰＵ（Central  Processing  Unit）、ＭＰＵ（Micro  Processing  Unit）等のプロセッサであってもよいし、ＦＰＧＡ（Field  Programmable  Gate  Array）、ＡＳＩＣ（Application  Specific  Integrated  Circuit）等の集積回路であってもよい。また、制御部１６は、１つの素子で構成されていてもよいし、複数の素子で構成されていてもよい。制御部１６が複数の素子で構成される場合、これら複数の素子は、照明装置１０内の離れた場所に配置されていてもよい。例えば、複数の素子が別々の基板に実装されていてもよい。
【００３９】
図４は、実施形態に係る制御部１６の構成例を示す図である。図４に示すように、制御部１６は、点灯部１６１と、蓄電池制御部１６２と、点検部１６３と、通信制御部１６４とを具備する。これらは制御部１６の機能を示す機能ブロックである。これら機能ブロックはソフトウェアブロックであってもよいし、ハードウェアブロックであってもよい。たとえば、上述の機能ブロックが、それぞれ、ソフトウェア（マイクロプログラムを含む。）で実現される１つのソフトウェアモジュールであってもよいし、半導体チップ（ダイ）上の１つの回路ブロックであってもよい。勿論、各機能ブロックがそれぞれ１つのプロセッサ或いは１つの集積回路であってもよい。機能ブロックの構成方法は任意である。
【００４０】
点灯部１６１は、光源１１の点灯及び消灯を制御する。点灯部１６１は、たとえば、取得部１４から停電が発生したことを示す異常信号を取得した場合に、蓄電池１３から供給される電力を用いて光源１１を点灯させる。
【００４１】
また、点灯部１６１は、点検動作が開始された場合に、点検部１６３からの指示に従って光源１１の点灯及び消灯を制御してもよい。
【００４２】
蓄電池制御部１６２は、蓄電池１３を制御する。たとえば、蓄電池制御部１６２は、外部電源６から供給される電力を用いて蓄電池１３を充電する。蓄電池制御部１６２は、蓄電池１３の蓄電量が所定量以上となった場合は充電を行わないようにしてもよい。また、蓄電池制御部１６２は、取得部１４から異常信号を取得した場合、すなわち、停電が発生した場合に、蓄電池１３に蓄えられた電力を通信部１２や制御部１６に供給させる。
【００４３】
点検部１６３は、点検者端末３０または他の照明装置１０から通信部１２を介して点検要求を受けた場合に、点検動作を照明装置１０に実行させる。たとえば、点検部１６３は、点灯部１６１等に対して光源１１の点灯または消灯を指示する。また、点検部１６３は、光源１１や蓄電池１３等の状態に関する情報を取得部１４から収集して自装置点検結果１５１として記憶部１５に格納する。
【００４４】
通信制御部１６４は、通信部１２を制御する。たとえば、通信制御部１６４は、通信部１２を制御することにより、点検者端末３０との間での通信確立処理のほか、点検要求、結果送信要求および点検結果の転送処理等を行う。
【００４５】
また、通信制御部１６４は、通信部１２を制御することにより、記憶部１５に蓄積された自装置点検結果１５１および他装置点検結果１５２のうち、送信条件に合致するデータを点検者端末３０に対して送信する。たとえば、通信制御部１６４は、点検者端末３０への点検結果の送信が中断した場合に、点検者端末３０からの送信再開要求に応じて、未送信の点検結果だけを点検者端末３０へ送信する。
【００４６】
＜点検者端末の構成＞
次に、点検者端末３０の構成について図５を参照して説明する。図５は、点検者端末３０の構成例を示す図である。
【００４７】
図５に示すように、点検者端末３０は、通信部３１と、入出力部３２と、記憶部３３と、制御部３４とを具備する。
【００４８】
通信部３１は、照明装置１０の通信部１２との間でデータ通信を行う。入出力部３２は、データの入出力を行う。入出力部３２には、ディスプレイ、タッチパネル、マウス、キーボード等が含まれる。記憶部３３は、ＨＤＤ、ＳＳＤ、光ディスク等の記憶装置である。記憶部３３は、ＲＡＭ、フラッシュメモリ、ＮＶＳＲＡＭ等のデータを書き換え可能な半導体メモリであってもよい。記憶部３３は、たとえば、照明装置１０から送信される点検結果を記憶する。また、記憶部３３は、受信状況情報を記憶する。受信状況情報は、点検者端末３０が送信を要求した複数の点検結果の受信状況に関する情報である。たとえば、受信状況情報は、送信対象となっている複数の点検結果のうち、受信済みの点検結果の個数を含む。なお、受信状況情報は、未受信の点検結果の個数、未受信の点検結果の識別情報等を含んでいてもよい。
【００４９】
制御部３４は、点検者端末３０全体を制御する。制御部３４は、例えば、ＣＰＵ、ＭＰＵ等の電子回路や、ＡＳＩＣ、ＦＰＧＡ等の集積回路である。このとき、制御部３４は、各種の処理手順を規定したプログラムや制御データを格納するための内部メモリを有し、内部メモリを用いて各処理を実行する。また、制御部３４は、各種のプログラムが動作することにより各種の処理部として機能する。
【００５０】
制御部３４は、点検者３による入出力部３２への入力操作に基づき、照明装置１０に対して点検要求を送信する。また、制御部３４は、点検者３による入出力部３２への入力操作に基づき、照明装置１０に対して結果送信要求を送信する。また、点検者３による入出力部３２への入力操作に基づき、照明装置１０に対して送信再開要求を送信する。また、制御部３４は、照明装置１０から通信部３１を介して取得された点検結果を記憶部３３に格納したり、点検結果の受信状況を示す受信状況情報を記憶部３３に格納したりする。
【００５１】
＜点検処理の例＞
次に、実施形態に係る照明システム１における一連の点検処理の流れについて図６を参照して説明する。図６は、実施形態に係る照明システム１における一連の点検処理の一例を示すシーケンス図である。ここでは、点検者端末３０から点検要求を受信する照明装置１０を「照明装置１０Ａ」と記載し、照明装置１０Ａから点検要求を受信する照明装置１０を「照明装置１０Ｂ」と記載する。
【００５２】
図６に示すように、点検者端末３０は、複数の照明装置１０のうち照明装置１０Ａに対して点検要求を送信する（ステップＳ１１）。点検要求の送信先となる照明装置１０Ａは任意である。たとえば、点検者３は、自身に最も近い場所に設置されている照明装置１０Ａに対して点検者端末３０から点検要求を送信させる。
【００５３】
点検者端末３０から通信部１２を介して点検要求を受信した照明装置１０Ａは、点検者端末３０との間で識別情報やパスワード等を用いた通信確立処理を行い、点検者端末３０との間で通信が確立されると、通信エリア内に位置する他の照明装置１０Ｂに対して点検要求を転送する（ステップＳ１２）。また、照明装置１０Ａは、点検動作を開始する（ステップＳ１３）。
【００５４】
つづいて、照明装置１０Ｂは、照明装置１０Ａから点検要求を受信すると、照明装置１０Ａから受信した点検要求を通信エリア内に位置する他の照明装置１０（図示せず）に転送する（ステップＳ１４）。また、照明装置１０Ｂは、点検動作を開始する（ステップＳ１５）。
【００５５】
このようにして複数の照明装置１０の全てに点検要求が送信されて、複数の照明装置１０の全てが点検動作を開始する。なお、照明装置１０Ａ，１０Ｂは、点検動作を開始（ステップＳ１３，Ｓ１５）した後で、点検要求の転送（ステップＳ１２，Ｓ１４）を行ってもよい。
【００５６】
その後、点検者端末３０は、照明装置１０Ａに対して結果送信要求を送信する（ステップＳ１６）。ここで、結果送信要求には、点検者端末３０に対して送信すべきデータを指定する情報が含まれる。本例では、今回の点検動作の点検結果を指定する情報が結果送信要求に含まれるものとするが、結果送信要求には、たとえば、「今年分の点検結果」のように点検の実施期間を指定する情報や、「１０台分の点検結果」のように照明装置１０の台数を指定する情報等が含まれてもよい。
【００５７】
点検者端末３０から結果送信要求を受信した照明装置１０Ａは、点検者端末３０との間で通信確立処理を行う。その後、点検者端末３０との間で通信が確立されると、照明装置１０Ａは、通信エリア内に位置する他の照明装置１０Ｂに対して結果送信要求を転送する（ステップＳ１７）。また、照明装置１０Ｂは、照明装置１０Ａから受信した結果送信要求を通信エリア内に位置する他の照明装置１０（図示せず）に転送する（ステップＳ１８）。これにより、複数の照明装置１０の全てに結果送信要求が送信される。
【００５８】
結果送信要求を受信した照明装置１０は、今回の点検動作における自装置点検結果１５１を通信エリア内に位置する他の照明装置１０へ送信する。また、各照明装置１０は、他の照明装置１０から受信した他装置点検結果１５２を通信エリア内に位置する照明装置１０へ転送する（ステップＳ１９，Ｓ２０）。各照明装置１０は、自装置点検結果１５１および受信した他装置点検結果１５２を記憶部１５に記憶させる。これにより、複数の照明装置１０の全てが、複数の照明装置１０の全ての点検結果を保持した状態となる。
【００５９】
その後、照明装置１０Ａは、点検者端末３０に対し複数の照明装置１０の全ての点検結果（自装置点検結果１５１および他装置点検結果１５２）を送信する（ステップＳ２１）。
【００６０】
＜データ送信の再開処理の例＞
次に、ステップＳ２１においてデータ送信の中断が発生した場合におけるデータ送信の再開処理について図７を参照して説明する。図７は、実施形態に係る照明システム１におけるデータ送信の再開処理の一例を示すシーケンス図である。
【００６１】
図７に示すように、照明装置１０Ａは、点検結果の送信に先立ち、点検者端末３０に対してデータ総数情報を送信する（ステップＳ２１−１）。データ総数情報は、点検者端末３０へ送信するデータの総数を示す情報である。ここでは、データ総数が１００個であることを示すデータ総数情報が点検者端末３０に送信されるものとする。
【００６２】
データ総数情報を受信した点検者端末３０は、照明装置１０Ａに対し、送信開始要求を送信する（ステップＳ２１−２）。照明装置１０Ａは、点検者端末３０から送信開始要求を受信すると、結果送信要求によって指定された点検結果（ここでは、全ての照明装置１０の今回の点検結果）を点検者端末３０に対して順次送信する（ステップＳ２１−３）。この間、照明装置１０Ａは、点検結果の送信状況を記憶部１５に記憶し（ステップＳ２１−４）。点検者端末３０は、点検結果の受信状況を記憶部３３に記憶する（ステップＳ２１−５）。
【００６３】
ここで、結果送信要求によって指定された１００個の点検結果のうち５０個を送信し終えたときに、データ送信の中断が発生したとする（ステップＳ２１−６）。
【００６４】
この場合、点検者端末３０は、照明装置１０Ａに対して送信再開要求を送信する（ステップＳ２１−７）。送信再開要求は、点検者３による入出力部３２への入力操作に基づいて送信されてもよいし、全ての点検結果を受信し終えるまで点検者端末３０によって自動的に送信されてもよい。
【００６５】
照明装置１０Ａは、点検者端末３０から送信再開要求を受信すると、記憶部１５に記憶される送信状況情報１５３に基づき、結果送信要求によって指定された複数の点検結果のうち、未送信の点検結果だけを点検者端末３０に対して送信する（ステップＳ２１−８）。つまり、照明装置１０Ａは、点検者端末３０へのデータ送信を５１個目の点検結果から再開する。
【００６６】
上述してきたように、実施形態に係る照明システム１において、照明装置１０の制御部１６は、記憶部１５に蓄積されたデータのうち送信条件に合致するデータを通信部１２に対して送信させる。たとえば、今回の点検結果を送信するように点検者端末３０によって指定された場合に、制御部１６は、記憶部１５に蓄積されている多量の点検結果のうち、今回の点検結果だけを点検者端末３０に送信する。これにより、必要なデータだけを点検者端末３０に対して送信することができ、データ送信に要する時間を短くすることができる。
【００６７】
また、制御部１６は、通信部１２による複数の点検結果の送信が中断された場合に、複数の点検結果のうち未送信の点検結果を送信条件に合致するデータとして通信部１２に対して送信させる。これにより、照明装置１０は、点検結果の送信を再開する際に、既に送信済みの点検結果まで送信してしまうことを防止することができる。したがって、実施形態に係る照明装置１０によれば、無駄な通信を発生させないようにすることができる。
【００６８】
また、制御部１６は、点検者端末３０によって指定された複数の点検結果の送信状況を記憶部１５に記憶させる。これにより、照明装置１０の制御部１６は、未送信の点検結果を特定することができる。
【００６９】
＜他装置点検結果の消去処理の例＞
図８は、実施形態に係る照明システムにおける他装置点検結果の消去処理の一例を示すシーケンス図である。
【００７０】
図８に示すように、点検者端末３０は、指定した全ての点検結果を照明装置１０Ａから受信すると、照明装置１０Ａに対して受信完了通知を送信する（ステップＳ３１）。そして、照明装置１０Ａは、受信完了通知を受信した場合に、記憶部１５に蓄積された点検結果のうち自装置点検結果１５１を残しつつ、他装置点検結果１５２を消去する（ステップＳ３２）。また、照明装置１０Ａは、通信エリア内に位置する他の照明装置１０Ｂに対して受信完了通知を転送する（ステップＳ３３）。
【００７１】
照明装置１０Ａから受信完了通知を受信した照明装置１０Ｂは、記憶部１５に蓄積された他装置点検結果１５２を消去し（ステップＳ３４）、通信エリア内に位置する他の照明装置１０（図示せず）に対して受信完了通知を転送する（ステップＳ３５）。このようにして複数の照明装置１０の全てに受信完了通知が送信されて、複数の照明装置１０の全ての記憶部１５から他装置点検結果１５２が消去される。
【００７２】
このように、実施形態に係る照明システム１において、照明装置１０の記憶部１５は、自装置に関するデータである自装置点検結果１５１と、他の通信装置に関するデータである他装置点検結果１５２とを蓄積する。そして、照明装置１０の制御部１６は、結果送信要求によって指定された全ての点検結果の送信が完了した場合に、記憶部１５に蓄積された点検結果のうち、他装置点検結果１５２を消去する。これにより、たとえば、他装置点検結果１５２を消去せずに保持し続ける場合と比較して、容量の大きな記憶部を照明装置１０に搭載する必要がない。
【００７３】
＜変形例＞
上述した実施形態は一例を示したものであり、種々の変更及び応用が可能である。
【００７４】
たとえば、図７のステップＳ２１−７において、点検者端末３０は、受信状況情報を含んだ送信再開要求を照明装置１０Ａに対して送信してもよい。この場合、照明装置１０Ａは、送信再開要求に含まれる受信状況情報（たとえば、５０個受信済みであることを示す情報）に基づき、未送信のデータとして５１個目以降の点検結果を点検者端末３０に送信することができる。
【００７５】
また、たとえば、図７のステップＳ２１−６において、データ送信の中断が発生した場合に、照明装置１０Ａは、送信状況情報をメッシュネットワークを利用して全ての照明装置１０に送信してもよい。これにより、点検者端末３０は、照明装置１０Ａだけでなく、他の照明装置１０から未送信のデータを受信することが可能となる。
【００７６】
また、ここでは、照明装置が非常灯や誘導灯のような非常用照明装置である場合を例に挙げて説明したが、照明装置は常用の一般照明であってもよい。また、ここでは、通信機能を備えた照明装置を通信装置の一例として挙げたが、通信装置は照明装置に限定されない。
【００７７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。また、これらの実施形態やその変形は、処理内容を矛盾させない範囲で適宜組み合わせることが可能である。
【符号の説明】
【００７８】
１  照明システム
３  点検者
１０  照明装置
１１  光源
１２  通信部
１３  蓄電池
１４  取得部
１５  記憶部
１６  制御部
３０  点検者端末
【図１】
2019061382.tif 000003
【図２】
2019061382.tif 000004
【図３】
2019061382.tif 000005
【図４】
2019061382.tif 000006
【図５】
2019061382.tif 000007
【図６】
2019061382.tif 000008
【図７】
2019061382.tif 000009
【図８】
2019061382.tif 000010